【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
ノズルから液滴を噴射する液体噴射ヘッドが複数並べられて、共通部品である固定板に取り付けられている液体噴射ヘッドユニットの製造方法であって、
複数の前記液体噴射ヘッドのマークの間隔に応じた間隔で一対の基準マークが設けられたマスクと、
光軸の間隔が固定される一対の単焦点光学手段と、
複数の前記液体噴射ヘッド及び前記マスクの位置と一対の単焦点光学手段の位置とを相対的に移動させる移動手段とを用い、
前記一対の基準マークの位置に一対の単焦点光学手段の光軸をそれぞれ合わせることで一対の単焦点光学手段の光軸の位置関係を把握し、
複数の前記液体噴射ヘッド及び前記マスクに対して単焦点光学手段を相対的に移動させ、一対の単焦点光学手段の光軸に隣接して配される前記液体噴射ヘッドのマークを合わせることで隣接する前記液体噴射ヘッドの相対位置を調整するアライメントを行う工程を含む
ことを特徴とする液体噴射ヘッドユニットの製造方法。
【請求項２】
請求項１に記載の液体噴射ヘッドユニットの製造方法において、
一対の単焦点光学手段を順次移動させ、相対位置が調整された前記液体噴射ヘッドのマークと相対位置が調整されていない前記液体噴射ヘッドのマークを、一対の単焦点光学手段の光軸に合わせることで複数の前記液体噴射ヘッドの相対位置を順次調整する
ことを特徴とする液体噴射ヘッドユニットの製造方法。
【請求項３】
請求項１もしくは請求項２のいずれかに記載の液体噴射ヘッドユニットの製造方法において、
ガラス製のマスクを用いたことを特徴とする液体噴射ヘッドユニットの製造方法。
【手続補正２】
【補正対象書類名】明細書
【補正対象項目名】発明の名称
【補正方法】変更
【補正の内容】
【発明の名称】液体噴射ヘッドユニットの製造方法
【手続補正３】
【補正対象書類名】明細書
【補正対象項目名】０００１
【補正方法】変更
【補正の内容】
【０００１】
本発明は液体噴射ヘッドユニットの製造方法に関する。
【手続補正４】
【補正対象書類名】明細書
【補正対象項目名】００１１
【補正方法】変更
【補正の内容】
【００１１】
本発明は上記状況に鑑みてなされたもので、安価な装置により極めて簡単な作業で複数の液体噴射ヘッドの相対位置関係を調整し、複数の基板に共通部品を取り付けることができる液体噴射ヘッドユニットの製造方法を提供することを目的とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
上記目的を達成するための本発明の液体噴射ヘッドユニットの製造方法は、ノズルから液滴を噴射する液体噴射ヘッドが複数並べられて、共通部品である固定板に取り付けられている液体噴射ヘッドユニットの製造方法であって、複数の前記液体噴射ヘッドのマークの間隔に応じた間隔で一対の基準マークが設けられたマスクと、光軸の間隔が固定される一対の単焦点光学手段と、複数の前記液体噴射ヘッド及び前記マスクの位置と一対の単焦点光学手段の位置とを相対的に移動させる移動手段とを用い、前記一対の基準マークの位置に一対の単焦点光学手段の光軸をそれぞれ合わせることで一対の単焦点光学手段の光軸の位置関係を把握し、複数の前記液体噴射ヘッド及び前記マスクに対して単焦点光学手段を相対的に移動させ、一対の単焦点光学手段の光軸に隣接して配される前記液体噴射ヘッドのマークを合わせることで隣接する前記液体噴射ヘッドの相対位置を調整するアライメントを行う工程を含むことを特徴とする。
【手続補正７】
【補正対象書類名】明細書
【補正対象項目名】００１４
【補正方法】変更
【補正の内容】
【００１４】
本発明の液体噴射ヘッドユニットの製造方法では、一対の基準マークの位置に一対の単焦点光学手段の光軸をそれぞれ合わせ、この状態で、隣接する液体噴射ヘッドのマークを一対の単焦点光学手段の光軸に合わせることで、一対の基準マークの位置関係に応じて液体噴射ヘッドの相対位置が調整される。このため、最小限の大きさのマスクを用いて、安価な装置により極めて簡単な作業で複数の液体噴射ヘッドの基板の相対位置関係を調整し、複数の基板に共通部品を取り付けることができる。
【手続補正８】
【補正対象書類名】明細書
【補正対象項目名】００１５
【補正方法】変更
【補正の内容】
【００１５】
また、上記液体噴射ヘッドユニットの製造方法において、一対の単焦点光学手段を順次移動させ、相対位置が調整された前記液体噴射ヘッドのマークと相対位置が調整されていない前記液体噴射ヘッドのマークを、一対の単焦点光学手段の光軸に合わせることで複数の前記液体噴射ヘッドの相対位置を順次調整することを特徴とする。このため、相対位置が調整された液体噴射ヘッドのマークを基準として複数の液体噴射ヘッドの相対位置を順次調整することができる。
【手続補正９】
【補正対象書類名】明細書
【補正対象項目名】００１６
【補正方法】変更
【補正の内容】
【００１６】
また、上記液体噴射ヘッドユニットの製造方法において、ガラス製のマスクを用いたことを特徴とする。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
本発明の液体噴射ヘッドユニットの製造方法でアライメントの対象になる液体噴射ヘッドはインクジェット式記録ヘッドユニット（液体噴射ヘッドユニット）のインクジェット式記録ヘッドである。図１〜図５に基づいてインクジェット式記録ヘッドユニットを説明する。
【手続補正１３】
【補正対象書類名】明細書
【補正対象項目名】００４８
【補正方法】変更
【補正の内容】
【００４８】
図６〜図８に基づいてアライメントの工程を説明する。
図６、図７には本発明の一実施形態例に係るアライメントの工程の概念、図８にはアライメントの工程の説明を示してある。
【手続補正１４】
【補正対象書類名】明細書
【補正対象項目名】００５９
【補正方法】変更
【補正の内容】
【００５９】
上述した液体噴射ヘッドユニットの製造方法では、アライメントの工程で、一対の基準マーク６３ａ、６３ｂが設けられたマスク６２と単焦点光学手段６６、６７を用いて、一対の基準マーク６３ａ、６３ｂの位置に一対の単焦点光学手段６６、６７の光軸をそれぞれ合わせ、この状態で、隣接する一対のインクジェット式記録ヘッド２２０のアライメントマーク２２を一対の単焦点光学手段６６、６７の光軸に合わせることで、一対の基準マーク６３ａ、６３ｂの位置関係に応じてインクジェット式記録ヘッド２２０の相対位置が調整される。また、一つ手前のインクジェット式記録ヘッド２２０のアライメントマーク２２に合わせられた単焦点光学手段６６の光軸を基準として、隣接するインクジェット式記録ヘッド２２０の位置を順次調整することができる。
【手続補正１５】
【補正対象書類名】明細書
【補正対象項目名】００６４
【補正方法】変更
【補正の内容】
【００６４】
【図１】所定のアライメントを行なうヘッドユニットの分解斜視図である。
【図２】ヘッドユニットの組立斜視図である。
【図３】ヘッドユニットの要部断面図である。
【図４】ヘッドユニットの要部の分解斜視図である。
【図５】ヘッドユニットの記録ヘッド及びヘッドケースを示す断面図である。
【図６】本発明の一実施形態例に係るアライメントの工程の概念図である。
【図７】本発明の一実施形態例に係るアライメントの工程の概念図である。
【図８】アライメントの工程の説明図である。